(57)【要約】【課題】基地局からの無線信号が中継される場合において、基地局との間における全体の通信品質を適切に把握することを可能にする技術を提供する。【解決手段】基地局の信号を中継する中継装置と通信するユーザ装置であって、前記中継装置から送信される無線信号の受信品質を測定する測定手段と、前記中継装置から、前記基地局と前記中継装置との間の無線信号の受信品質を示す基準情報を受信する受信手段と、前記測定手段により測定された受信品質と前記基準情報とに基づいて所定の制御を行う制御手段と、を有するユーザ装置を提供する。【選択図】図１０
2016213529.tif 000002
【特許請求の範囲】
【請求項１】
基地局の信号を中継する中継装置と通信するユーザ装置であって、
前記中継装置から送信される無線信号の受信品質を測定する測定手段と、
前記中継装置から、前記基地局と前記中継装置との間の無線信号の受信品質を示す基準情報を受信する受信手段と、
前記測定手段により測定された受信品質と前記基準情報とに基づいて所定の制御を行う制御手段と、
を有するユーザ装置。
【請求項２】
前記制御手段は、前記中継装置から前記基準情報を受信していない場合、前記測定手段により測定された受信品質に基づいて前記所定の制御を行う、請求項１に記載のユーザ装置。
【請求項３】
前記所定の制御は、アンテナピクト表示であり、
前記受信手段は、前記中継装置から送信される前記基準情報が更新されたことを検出し、
前記制御手段は、前記測定手段により測定された受信品質と更新された前記基準情報とに基づいてアンテナピクト表示を更新する、請求項１又は２に記載のユーザ装置。
【請求項４】
前記中継装置に、当該ユーザ装置が前記基準情報を受信する能力を有することを通知する通知手段、
を更に有する、請求項１乃至３のいずれか一項に記載のユーザ装置。
【請求項５】
前記制御手段は、前記中継装置から、通信に必要な信号品質の下限を示す下限品質情報を受信し、受信した前記下限品質情報と、前記測定手段により測定された受信品質又は前記基準情報と、に基づいて、前記中継装置に切断信号を送信する、請求項１乃至４のいずれか一項に記載のユーザ装置。
【請求項６】
基地局の信号をユーザ装置に中継する中継装置であって、
前記基地局又は当該中継装置とは異なる他の中継装置から送信される第一の無線信号の受信品質を測定する測定手段と、
前記第一の無線信号の受信品質に基づいて第一の基準情報を生成し、生成した第一の基準情報を前記ユーザ装置に送信する送信手段と、
を有する中継装置。
【請求項７】
前記測定手段は、前記第一の無線信号の受信品質を所定の間隔で測定し、
前記送信手段は、所定の間隔で測定された前記第一の無線信号の受信品質に基づいて第一の基準情報を生成し、前記第一の基準情報が更新された場合、前記ユーザ装置にページングを送信する、請求項６に記載の中継装置。
【請求項８】
前記他の中継装置から、前記基地局又は前記他の中継装置とは異なる中継装置と前記他の中継装置との間の第二の無線信号の受信品質に基づいて生成された第二の基準情報を受信する受信手段、
を更に有し、
前記送信手段は、前記第一の無線信号の受信品質と前記第二の基準情報とに基づいて前記第一の基準情報を生成する、請求項６又は７に記載の中継装置。
【請求項９】
前記第一の無線信号の受信品質又は前記第一の基準情報と、通信に必要な信号品質の下限を示す下限品質情報とに基づいて、前記ユーザ装置に切断信号を送信する制御手段、
を更に有する、請求項６乃至８のいずれか一項に記載の中継装置。
【請求項１０】
基地局の信号をユーザ装置に中継する中継装置と、前記中継装置と通信するユーザ装置とを有する移動通信システムが実行する通信制御方法であって、
前記中継装置が、前記基地局又は前記中継装置とは異なる他の中継装置から送信される第一の無線信号の受信品質を測定する測定ステップと、
前記中継装置が、前記第一の無線信号の受信品質に基づいて基準情報を生成し、生成した基準情報を前記ユーザ装置に送信する送信ステップと、
前記ユーザ装置が、前記中継装置から送信される第二の無線信号の受信品質を測定する測定ステップと、
前記ユーザ装置が、前記中継装置から基準情報を受信する受信ステップと、
前記ユーザ装置が、前記測定ステップにより測定された前記第二の無線信号の受信品質と前記基準情報とに基づいて所定の制御を行う制御ステップと、
を有する、通信制御方法。
【発明の詳細な説明】
【技術分野】
【０００１】
本発明は、ユーザ装置、中継装置及び通信制御方法に関する。
【背景技術】
【０００２】
ＬＴＥ（Long Term Evolution）では、カバレッジ拡大を目的として基地局とユーザ装置との間の無線伝送を中継するリレー技術が導入されている。リレー技術を用いることで、有線バックホール回線の確保が困難な場所などで、効率的にカバレッジを拡大することが期待されている。
【０００３】
また、３ＧＰＰ（3rd Generation Partnership Project）リリース１０において、レイヤ３リレー技術が導入されている（例えば、非特許文献１参照）。レイヤ３リレー技術は、基地局からの下り受信ＲＦ信号の復調・復号に加えて、ユーザデータを再生してから、再度無線でユーザデータ伝送を行うための処理を行い、符号化・変調後にユーザ装置に送信する中継技術である。
【０００４】
図１は、レイヤ３リレー技術を説明するための図である。図１に示す中継装置は、基地局から受信した無線信号をユーザ装置ｂに中継している。基地局と中継装置との間のインタフェースはＵｎと呼ばれており、ユーザ装置ａと基地局との間、又はユーザ装置ｂと中継装置との間のインタフェースはＵｕと呼ばれている。また、図３において、基地局は、ユーザ装置ａと中継装置との間で行われる通信のスケジューリングを行い、中継装置は、ユーザ装置ｂとの間で行われる通信のスケジューリングを行っている。
【０００５】
次に、ＬＴＥでは、ユーザ装置と基地局が通信を行うことにより、基地局等を介してユーザ装置間で通信を行うことが一般的であるが、近年、ユーザ装置間で直接に通信を行うＤ２Ｄ（Device to Device）通信についての種々の技術が提案されている（例えば、非特許文献２参照）。
【０００６】
ＬＴＥにおけるＤ２Ｄ通信では、ユーザ装置間でＶｏＩＰ（Voice over Internet Protocol）通話等のデータ通信を行う「Ｃｏｍｍｕｎｉｃａｔｉｏｎ（コミュニケーション）」サービスと、ユーザ装置が、自身のＩＤ等を含む発見メッセージ（ｄｉｓｃｏｖｅｒｙ  ｍｅｓｓａｇｅ）を送信することで、受信側のユーザ装置に送信側のユーザ装置の検出を行わせる「Ｄｉｓｃｏｖｅｒｙ（発見）」サービスとが提案されている（非特許文献１参照）。なお、コミュニケーションサービスは、例えば、Ｐｕｂｌｉｃ  ｓａｆｅｔｙ（警察・消防無線など）への適用が想定されている。
【０００７】
ＬＴＥで規定されるＤ２Ｄ通信では、各ユーザ装置は、ユーザ装置から基地局への上り信号送信のリソースとして既に規定されている上りリソースの一部を利用することが提案されている。また、Ｄ２Ｄ通信で使用するリソースの割り当てにおいては、基地局からのアシストがなされることも提案されている。
【０００８】
更に、ＬＴＥでＤ２Ｄ通信では、ユーザ装置が中継装置の役割を担うことで、カバレッジの拡大を実現するＤ２Ｄリレーと呼ばれる技術が検討されている。
【０００９】
図２は、Ｄ２Ｄリレー技術を説明するための図である。図２に示すように、基地局からの信号を受信したユーザ装置ａは、ユーザ装置ｂに信号を転送している。また、ユーザ装置ｂから信号を受信したユーザ装置ｃは、ユーザ装置ｄに信号を転送している。このように、各ユーザ装置が中継装置の役割を担うことで、基地局は、基地局のカバレッジの外に位置するユーザ装置ｂ及びユーザ装置ｃに対しても信号を送信することができる。
【先行技術文献】
【非特許文献】
【００１０】
【非特許文献１】３ＧＰＰ  ＴＳ３６．３００  Ｖ１２．５．０（２０１５−０３）
【非特許文献２】３ＧＰＰ  ＴＲ３６．８４３  Ｖ１２．０．１（２０１４−０３）
【発明の概要】
【発明が解決しようとする課題】
【００１１】
ここで、上述のレイヤ３リレー技術又はＤ２Ｄリレー技術が適用される場合、従来のユーザ装置は、レイヤ３リレー技術による中継装置、又は、Ｄ２Ｄリレー技術で中継装置の役割を担っているユーザ装置から受信するＤＬ信号の受信品質に基づいて所定の制御を行うことになる。
【００１２】
所定の制御の一例として、従来のユーザ装置は、ユーザ装置自身が受信しているセル（キャリア）のＤＬ（Downlink）信号の受信品質に基づいて、アンテナピクト表示を変化させる制御を行っている。なお、ＤＬ信号の受信品質とは、例えば、ＲＳＲＱ（Reference Signal Received Quality）又はＲＳＲＰ（Reference Signal Received Power）等である。ユーザ装置にアンテナピクトが表示されることで、利用者は、現在地におけるスループットや無線状況を大まかに把握することができる。また、通信事業者は、ネットワークの進化やカバレッジの広さを利用者にアピールすることが可能になる。
【００１３】
図３は、アンテナピクト表示とＤＬ信号の受信品質との関係を示す図である。一般的には、基地局からの距離が遠くなるほどＤＬ信号の受信品質が悪化する。従って、図３に示すように、基地局からの距離が遠くなるにつれて、ユーザ装置に表示されるアンテナピクトが変化する。また、基地局のカバレッジ外に位置するユーザ装置ｄでは、アンテナピクトに「圏外」が表示されている。
【００１４】
つまり、上述のレイヤ３リレー技術又はＤ２Ｄリレー技術が適用される場合、従来のユーザ装置は、レイヤ３リレー技術による中継装置、又は、Ｄ２Ｄリレー技術で中継装置の役割を担っているユーザ装置から受信するＤＬ信号の受信品質に基づいてアンテナピクト表示を行うことになる。一方、レイヤ３リレー技術又はＤ２Ｄリレー技術では、基地局と中継装置（又は中継装置の役割を担うユーザ装置）との間の通信状況がボトルネックになる可能性がある。従って、ユーザ装置に表示されるアンテナピクトが、必ずしも正しいスループットを示さない場合が生じることになる。
【００１５】
図４は、アンテナピクト表示における課題を説明するための図（その１）である。図４は、レイヤ３リレー技術が用いられている移動通信ネットワークを示している。例えば、基地局と中継装置ａとの間の無線品質が良好であり、かつ、中継装置ａとユーザ装置ａとの間の無線品質も良好である場合、基地局とユーザ装置ａとの間では高いスループットが実現されることになる。この場合、ユーザ装置ａのアンテナピクト表示は、中継装置から受信するＤＬ信号の受信品質に基づき表示されることになるが、基地局とユーザ装置ａとの間の全区間で高いスループットが実現されているため、特段問題は生じない。
【００１６】
一方、基地局と中継装置ｂとの間の無線品質が劣悪であり、かつ、中継装置ｂとユーザ装置ｂとの間の無線品質は良好である場合、基地局と中継装置ｂとの間がボトルネックになり、基地局とユーザ装置ｂとの間で高いスループットは期待できない。しかしながら、ユーザ装置ｂのアンテナピクト表示は、中継装置ｂから受信するＤＬ信号の受信品質に基づき表示されることになる。すなわち、実際のスループットは低いにも関わらず、ユーザ装置のアンテナピクトは、受信品質が良好であるように表示されてしまう。
【００１７】
図５は、アンテナピクト表示における課題を説明するための図（その２）である。図５は、Ｄ２Ｄリレー技術が用いられている移動通信ネットワークを示している。例えば、基地局とユーザ装置ａ、及び、ユーザ装置ｂとユーザ装置ｃとの間の無線品質が劣悪であり、ユーザ装置ａとユーザ装置ｂとの間、及び、ユーザ装置ｃとユーザ装置ｄとの間の無線品質は良好であるとする。
【００１８】
この場合、ユーザ装置ｄのアンテナピクトはユーザ装置ｃからのＤＬ信号の受信品質に基づいて表示される。従って、ユーザ装置ｄのアンテナピクトは、受信品質が良好であるように表示される。しかしながら、実際には、基地局とユーザ装置ａとの間、及び、ユーザ装置ｂとユーザ装置ｃとの間の無線品質が劣悪であることから、基地局とユーザ装置ｄとの間の全区間における実際のスループットは低いことになる。すなわち、実際のスループットは低いにも関わらず、ユーザ装置ｄのアンテナピクトは、受信品質が良好であるように表示されてしまう。
【００１９】
開示の技術は上記に鑑みてなされたものであって、基地局からの無線信号が中継される場合において、基地局との間における全体の通信品質を適切に把握することを可能にする技術を提供することを目的とする。
【課題を解決するための手段】
【００２０】
開示の技術のユーザ装置は、基地局の信号を中継する中継装置と通信するユーザ装置であって、前記中継装置から送信される無線信号の受信品質を測定する測定手段と、前記中継装置から、前記基地局と前記中継装置との間の無線信号の受信品質を示す基準情報を受信する受信手段と、前記測定手段により測定された受信品質と前記基準情報とに基づいて所定の制御を行う制御手段と、を有する。
【００２１】
また、開示の技術の中継装置は、基地局の信号をユーザ装置に中継する中継装置であって、前記基地局又は当該中継装置とは異なる他の中継装置から送信される第一の無線信号の受信品質を測定する測定手段と、前記第一の無線信号の受信品質に基づいて第一の基準情報を生成し、生成した第一の基準情報を前記ユーザ装置に送信する送信手段と、を有する。
【００２２】
また、開示の技術の通信制御方法は、基地局の信号をユーザ装置に中継する中継装置と、前記中継装置と通信するユーザ装置とを有する移動通信システムが実行する通信制御方法であって、前記中継装置が、前記基地局又は前記中継装置とは異なる他の中継装置から送信される第一の無線信号の受信品質を測定する測定ステップと、前記中継装置が、前記第一の無線信号の受信品質に基づいて基準情報を生成し、生成した基準情報を前記ユーザ装置に送信する送信ステップと、前記ユーザ装置が、前記中継装置から送信される第二の無線信号の受信品質を測定する測定ステップと、前記ユーザ装置が、前記中継装置から基準情報を受信する受信ステップと、前記ユーザ装置が、前記測定ステップにより測定された前記第二の無線信号の受信品質と前記基準情報とに基づいて所定の制御を行う制御ステップと、を有する。
【発明の効果】
【００２３】
開示の技術によれば、基地局からの無線信号が中継される場合において、基地局との間における全体の通信品質を適切に把握することを可能にする技術が提供される。
【図面の簡単な説明】
【００２４】
【図１】レイヤ３リレー技術を説明するための図である。
【図２】Ｄ２Ｄリレー技術を説明するための図である。
【図３】アンテナピクト表示とＤＬ信号の受信品質との関係を示す図である。
【図４】アンテナピクト表示における課題を説明するための図（その１）である。
【図５】アンテナピクト表示における課題を説明するための図（その２）である。
【図６】実施の形態に係る移動通信システムの構成の一例を示す図である。
【図７】第一の実施の形態に係るユーザ装置の機能構成の一例を示す図である。
【図８】第一の実施の形態に係る中継装置の機能構成の一例を示す図である。
【図９】第一の実施の形態に係る移動通信システムが行う処理手順（その１）の一例を示すシーケンス図である。
【図１０】ユーザ装置がアンテナピクト表示を行う場合の処理手順の一例を示すフローチャートである。
【図１１】第一の実施の形態に係る移動通信システムが行う処理手順（その２）の一例を示すシーケンス図である。
【図１２】第二の実施の形態に係るユーザ装置の機能構成の一例を示す図である。
【図１３】第二の実施の形態に係る中継装置の機能構成の一例を示す図である。
【図１４】第二の実施の形態に係る基地局の機能構成の一例を示す図である。
【図１５】第二の実施の形態に係る移動通信システムが行う処理手順（その１）の一例を示すシーケンス図である。
【図１６】第二の実施の形態に係る移動通信システムが行う処理手順（その２）の一例を示すシーケンス図である。
【図１７】第二の実施の形態に係る移動通信システムが行う処理手順（その３）の一例を示すシーケンス図である。
【発明を実施するための形態】
【００２５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の移動通信システムは、ＬＴＥに対応しているが、本発明はＬＴＥに限らず、他の方式にも適用可能である。また、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する通信方式も含む広い意味で使用する。
【００２６】
＜概要＞
図６は、実施の形態に係る移動通信システムの構成の一例を示す図である。図６に示すように、本実施の形態の移動通信システムは、ユーザ装置１と中継装置２と基地局３とを含む。図６には、中継装置２が１つ示されているが、これは例であり、ユーザ装置１と基地局３との間に複数の中継装置２が含まれていても良い。すなわち、図６の例では、基地局３からの信号が１つの中継装置２で１回中継されているが、これに限られず、基地局３からの信号が複数の中継装置２により、複数回中継されるようにしてもよい。
【００２７】
ユーザ装置１は、無線を通じて中継装置２、基地局３等と通信を行う機能を有する。ユーザ装置１は、例えば、携帯電話、スマートフォン、タブレット、モバイルルータ、ウェアラブル端末などである。ユーザ装置１は、通信機能を有する機器であれば、どのようなユーザ装置であってもよい。ユーザ装置１は、プロセッサなどのＣＰＵ、ＲＯＭ、ＲＡＭ又はフラッシュメモリなどのメモリ装置、中継装置２又は基地局３と通信するためのアンテナ、ＲＦ（Radio Frequency）装置、アンテナピクト表示を行うディスプレイ、タッチパネルなどのハードウェアリソースにより構成される。ユーザ装置１の各機能及び処理は、メモリ装置に格納されているデータやプログラムをプロセッサが処理又は実行することによって実現されてもよい。しかしながら、ユーザ装置１は、上述したハードウェア構成に限定されず、他の何れか適切なハードウェア構成を有してもよい。
【００２８】
中継装置２は、無線を通じてユーザ装置１及び基地局３との間で通信を行う。中継装置２は、プロセッサなどのＣＰＵ、ＲＯＭ、ＲＡＭ又はフラッシュメモリなどのメモリ装置、ユーザ装置１及び基地局３等と通信するためのアンテナなどのハードウェアリソースにより構成される。中継装置２の各機能及び処理は、メモリ装置に格納されているデータやプログラムをプロセッサが処理又は実行することによって実現されてもよい。しかしながら、中継装置２は、上述したハードウェア構成に限定されず、他の何れか適切なハードウェア構成を有してもよい。
【００２９】
基地局３は、無線を通じてユーザ装置１との間で通信を行う。基地局３は、プロセッサなどのＣＰＵ、ＲＯＭ、ＲＡＭ又はフラッシュメモリなどのメモリ装置、ユーザ装置１等と通信するためのアンテナ、隣接する基地局等と通信するための通信インタフェース装置などのハードウェアリソースにより構成される。基地局３の各機能及び処理は、メモリ装置に格納されているデータやプログラムをプロセッサが処理又は実行することによって実現されてもよい。しかしながら、基地局３は、上述したハードウェア構成に限定されず、他の何れか適切なハードウェア構成を有してもよい。
【００３０】
なお、本実施の形態において、中継装置２は、レイヤ３リレー技術に用いられる中継装置、及びＤ２Ｄリレー技術により信号を転送する機能を有するユーザ装置の両方を含むものとして説明する。すなわち、本実施の形態がＤ２Ｄリレー技術に適用される場合、本実施の形態で説明される中継装置２は、信号を転送する機能を有するユーザ装置１に該当し、本実施の形態で説明されるユーザ装置１は、転送されたデータを最終的に受信するユーザ装置に該当する。
【００３１】
なお、本実施の形態において、複数の中継装置２の各々を区別して説明する場合は、便宜上、中継装置２ａ、中継装置２ｂ、中継装置２ｃ・・のように符号を付すことがある。また、ある中継装置２から見た場合に基地局３側に設置される中継装置２のことを、「１つ前の中継装置２」と呼ぶことがある。また、ある中継装置２から見た場合にユーザ装置１側に設置される中継装置２のことを、「次の中継装置２」と呼ぶことがある。
【００３２】
本実施の形態に係る移動通信システムにおいて、中継装置２は、基地局３から受信した無線信号の受信品質を測定し、測定された受信品質を示す情報をユーザ装置１に送信する。ユーザ装置１は、当該情報と自身が中継装置２から受信している無線信号の受信品質とを用いて、基地局３とユーザ装置１自身との間における無線区間全体の受信品質を把握する。
【００３３】
これにより、ユーザ装置１は、無線信号の受信品質に基づく所定の制御を行う場合に、基地局３とユーザ装置１自身との間における無線区間全体の受信品質に基づき、所定の制御を適切に行うことが可能になる。
【００３４】
同様に、実施の形態に係る移動通信システムに複数の中継装置２（例えば、中継装置２ａ及び中継装置２ｂと仮定する）が含まれ、当該複数の中継装置２により基地局３の信号が複数回中継される場合、基地局３と直接通信する中継装置２ａは、基地局３から受信した無線信号の受信品質を測定し、測定された受信品質を示す情報を次の中継装置２ｂに送信する。中継装置２ｂは、当該情報と中継装置２ａから受信している無線信号の受信品質とを用いて、基地局３と中継装置２ｂ自身との間における無線区間全体の受信品質を把握する。更に、中継装置２ｂは、把握した無線区間全体の受信品質を示す情報を、ユーザ装置１に送信する。ユーザ装置１は、当該情報と自身が中継装置２ｂから受信している無線信号の受信品質とを用いて、基地局３とユーザ装置１自身との間における無線区間全体の受信品質を把握する。
【００３５】
これにより、ユーザ装置１は、無線信号の受信品質に基づく所定の制御を行う場合に、基地局３とユーザ装置１自身との間における無線区間全体の受信品質に基づき、所定の制御を適切に行うことが可能になる。また、ユーザ装置１に限られず、中継装置２で所定の制御を行うこともできる。これにより、中継装置２ｂは、無線信号の受信品質に基づく所定の制御を行う場合に、基地局３と中継装置２ｂ自身との間における無線区間全体の受信品質に基づき、所定の制御を適切に行うことが可能になる。
【００３６】
［第一の実施の形態］
以下、第一の実施の形態として、ユーザ装置１が所定の制御としてアンテナピクト表示を行う場合について説明する。なお、第一の実施の形態は、アンテナピクト表示に限られず、他の制御にも適用することができる。
【００３７】
＜機能構成＞
以下、第一の実施の形態の動作を実行するユーザ装置１と中継装置２との機能構成例を説明する。
【００３８】
（ユーザ装置）
図７は、第一の実施の形態に係るユーザ装置の機能構成の一例を示す図である。図７に示すように、ユーザ装置１は、信号受信部１０１、信号送信部１０２、品質基準情報受信部１０３、受信品質測定部１０４、及び制御部１０５を有する。なお、図７は、ユーザ装置１において本発明に特に関連する機能部のみを示すものであり、ユーザ装置１は、少なくともＬＴＥに準拠した動作を行うための図示しない機能も有するものである。
【００３９】
信号受信部１０１は、中継装置２から各種の下り信号を受信し、受信した物理レイヤの信号からより上位のレイヤの情報を取得する機能を含み、信号送信部１０２は、ユーザ装置１から送信されるべき上位のレイヤの情報から、物理レイヤの各種信号を生成し、中継装置２に対して送信する機能を含む。
【００４０】
また、信号送信部１０２は、中継装置２に対して、品質基準情報を受信（処理）する能力（機能）を有することを通知する機能を含む。ここで、「品質基準情報」とは、中継装置２からユーザ装置１に通知される情報であり、基地局３から当該中継装置２までの無線区間全体の受信品質を示す情報である。なお、品質基準情報は、例えば、ＲＳＲＱ、ＲＳＲＰ、ＲＳＳＩ（Received Signal Strength Indicator）、又はＣＱＩ（Channel Quality Indicator）等である。また、品質基準情報は、これらの値そのものであってもよいし、これらの値を、例えば、所定の数字、アルファベット又は記号等に変換することで、所定の粒度で表現されるようにしてもよい。
【００４１】
品質基準情報受信部１０３は、信号受信部１０１を介して、中継装置２から品質基準情報を受信する。品質基準情報受信部１０３は、受信した品質基準情報をメモリ等に格納しておく。また、品質基準情報受信部１０３は、中継装置２から受信した品質基準情報が更新されたことを検出した場合、メモリ等に格納されている品質基準情報を、更新された品質基準情報に書き換える。
【００４２】
受信品質測定部１０４は、中継装置２から受信するＤＬ信号の無線信号の受信品質を測定する。なお、受信品質は、例えば、ＲＳＲＱ、ＲＳＲＰ、ＲＳＳＩ、又はＣＱＩ等である。
【００４３】
制御部１０５は、中継装置２から受信した品質基準情報と、受信品質測定部１０４で測定された受信品質とに基づいて所定の制御を行う。所定の制御の一例は、例えばアンテナピクト表示である。なお、制御部１０５は、中継装置２から品質基準情報を受信していない場合、受信品質測定部１０４で測定された受信品質に基づいて当該所定の制御を行う。また、制御部１０５は、中継装置２から受信した品質基準情報が更新された場合、更新された品質基準情報と受信品質測定部１０４で測定された受信品質とに基づいて所定の制御を繰り返し行うようにしてもよい。
【００４４】
（中継装置）
図８は、第一の実施の形態に係る中継装置の機能構成の一例を示す図である。図８に示すように、中継装置２は、信号受信部２０１、信号送信部２０２、受信品質測定部２０３、及び品質基準情報通知部２０４を有する。なお、図８は、中継装置２において本発明に特に関連する機能部のみを示すものであり、中継装置２は、少なくともＬＴＥに準拠した動作を行うための図示しない機能も有するものである。
【００４５】
信号受信部２０１は、基地局３又は他の中継装置２から各種の下り（上り）信号を受信し、受信した物理レイヤの信号からより上位のレイヤの情報を取得する機能を含み、信号送信部２０２は、信号受信部２０１で取得された上位のレイヤの情報から、物理レイヤの各種信号を生成し、基地局３又は他の中継装置２に対して送信する（中継する）機能を含む。
【００４６】
また、信号受信部２０１は、他の中継装置２（１つ前の中継装置２）から品質基準情報を受信した場合、受信した品質基準情報を品質基準情報通知部２０４に送信する。
【００４７】
また、信号送信部２０２は、基地局３又は他の中継装置２（１つ前の中継装置２）に対して、品質基準情報を受信（処理）する能力（機能）を有することを通知する機能を含む。
【００４８】
受信品質測定部２０３は、基地局３又は他の中継装置２（１つ前の中継装置２）から受信するＤＬ信号の無線信号の受信品質を測定する。なお、受信品質は、例えば、ＲＳＲＱ、ＲＳＲＰ、ＲＳＳＩ、ＣＱＩ等である。なお、受信品質測定部２０３は、所定の間隔又は所定の周期で当該無線信号の受信品質を測定するようにしてもよい。
【００４９】
品質基準情報通知部２０４は、受信品質測定部２０３で測定された受信品質から品質基準情報を生成し、生成した品質基準情報を、他の中継装置２（次の中継装置２）又はユーザ装置１に信号送信部２０２を介して送信する。
【００５０】
また、品質基準情報通知部２０４は、他の中継装置２（１つ前の中継装置２）から品質基準情報を受信している場合、当該品質基準情報と、受信品質測定部２０３で測定された受信品質とに基づいて新たな品質基準情報を生成し、生成した新たな品質基準情報を、他の中継装置２（次の中継装置２）又はユーザ装置１に信号送信部２０２を介して送信する。すなわち、品質基準情報は、中継装置２を経由する度に、各装置間の無線区間の受信品質が加味されていくことになる。
【００５１】
＜処理手順＞
（処理手順（その１））
図９は、第一の実施の形態に係る移動通信システムが行う処理手順（その１）の一例を示すシーケンス図である。図９は、移動通信システム内に１台の中継装置２が含まれている場合の処理手順の一例を示している。
【００５２】
ステップＳ１０１で、基地局３は、中継装置２に無線信号を送信する。なお、当該無線信号は特に種類を問わないが、例えばセル固有基準信号（ＣＲＳ：Cell Specific Reference Signal）などが含まれている信号である。
【００５３】
ステップＳ１０２で、中継装置２の受信品質測定部２０３は、ステップＳ１０１で受信した無線信号の受信品質（ＲＳＲＱ、ＲＳＲＰ、ＲＳＳＩ、ＣＱＩ等）を測定する。
【００５４】
ステップＳ１０３で、中継装置２の品質基準情報通知部２０４は、ステップＳ１０２の処理手順で測定された受信品質に基づいて品質基準情報を生成する。品質基準情報通知部２０４は、例えば、ステップＳ１０２の処理手順で測定された受信品質（ＲＳＲＱ、ＲＳＲＰ、ＲＳＳＩ、ＣＱＩ等）の値をそのまま品質基準情報に格納してもよいし、受信品質の値を所定の粒度（例えば、所定の数字、アルファベット又は記号等）に変換して品質基準情報に格納してもよい。なお、受信品質の値を所定の粒度に変換して品質基準情報に格納する場合、ユーザ装置１及び中継装置２の間で、変換方法を示す情報（変換テーブル）を予め共有しておく必要がある。そこで、中継装置２の品質基準情報通知部２０４は、変換方法を示す情報（変換テーブル）を、ユーザ装置１に報知情報、ＲＲＣ（Radio Resource Control）信号、所定のＤ２Ｄ信号（ＰＳＣＣＨ（Physical Sidelink Control Channel）、ＰＳＳＣＨ（Physical Sidelink Shared Channel）、ＰＳＤＣＨ（Physical Sidelink Discovery Channel）等）などを用いて送信するようにしてもよい。
【００５５】
ステップＳ１０４で、ユーザ装置１の信号送信部１０２は、中継装置２に、ユーザ装置１自身が品質基準情報を受信（処理）する能力（機能）を有することを通知する。なお、ステップＳ１０４の処理手順は、必ずしも図９に示されるタイミングで行われなくても良い。例えば、ユーザ装置１が中継装置２にアタッチする場合に送信される、ＵＥ  Ｃａｐａｂｉｌｉｔｙ  Ｉｎｆｏｒｍａｔｉｏｎ信号等を用いて通知されるようにしてもよいし、所定のＤ２Ｄ信号（ＰＳＣＣＨ、ＰＳＳＣＨ、ＰＳＤＣＨ等）を用いて任意のタイミングで通知されるようにしてもよい。
【００５６】
ステップＳ１０５で、中継装置２の品質基準情報通知部２０４は、ユーザ装置１に品質基準情報を含む信号を送信する。当該信号は、例えば、報知情報であってもよいし、ＲＲＣ信号であってもよいし、所定のＤ２Ｄ信号であってもよい。また、当該ＲＲＣ信号は、例えば、ＲＲＣ  Ｃｏｎｎｅｃｔｉｏｎ  Ｒｅｃｏｎｆｉｇｕｒａｔｉｏｎ信号等であってもよい。また、所定のＤ２Ｄ信号は、ＰＳＣＣＨ、ＰＳＳＣＨ、ＰＳＤＣＨ等であってもよい。
【００５７】
なお、ステップＳ１０５の処理手順は、ステップＳ１０４の処理手順において、ユーザ装置１が品質基準情報を受信する能力を有することが通知された場合にのみ行われるようにしてもよい。
【００５８】
ステップＳ１０６で、中継装置２の品質基準情報通知部２０４は、ユーザ装置１にページング信号を送信し、報知情報に含まれる品質基準情報が更新されたことをユーザ装置１に通知する。
【００５９】
ここで、無線信号の受信品質は、伝搬状況や干渉等の影響により変動するため、中継装置２の受信品質測定部２０３及び品質基準情報通知部２０４は、ステップＳ１０２乃至ステップＳ１０５の処理手順を所定の間隔又は所定の周期で繰り返し行うことで、最新の品質基準情報をユーザ装置１に送信するようにしてもよい。また、中継装置２は、ステップＳ１０５の処理手順で、品質基準情報を報知情報に含めて送信する場合にのみ、品質基準情報が更新されたことをユーザ装置１に通知するために、ステップＳ１０６の処理手順を行うようにしてもよい。
【００６０】
ステップＳ１０７で、ユーザ装置１の受信品質測定部１０４は、中継装置２から送信される無線信号の受信品質（ＲＳＲＱ、ＲＳＲＰ、ＲＳＳＩ、ＣＱＩ等）を測定する。なお、受信品質を測定する無線信号は、ステップＳ１０５の処理手順で送信される無線信号に限られない。他の無線信号（ＣＲＳ等）を用いて受信品質を測定するようにしてもよい。
【００６１】
ステップＳ１０８で、ユーザ装置１の制御部１０５は、ステップＳ１０５の処理手順で受信した品質基準情報と、ステップＳ１０７の処理手順で測定された受信品質とに基づいて、アンテナピクト表示を行う。なお、制御部１０５は、中継装置２から品質基準情報を受信していない場合（例えば、Ｓ１０５の処理が行われる前や、中継装置２に品質基準情報を送信する機能が無い場合等）、ステップＳ１０７の処理手順で測定された受信電力に基づいて、従来通りアンテナピクト表示を行うようにしてもよい。
【００６２】
なお、ステップＳ１０５の処理手順で通知される品質基準情報が更新された場合、ユーザ装置１は、ステップＳ１０７及びステップＳ１０８の処理手順を再度行うことで、アンテナピクト表示を更新させるようにしてもよい。
【００６３】
図１０は、ユーザ装置がアンテナピクト表示を行う場合の処理手順の一例を示すフローチャートである。図１０は、図９でユーザ装置１が行う処理手順の詳細を示している。
【００６４】
ステップＳ２０１は、図９のステップＳ１０７と同一であるため説明は省略する。
【００６５】
ステップＳ２０２で、ユーザ装置１の制御部１０５は、中継装置２から品質基準情報を受信しているかを確認する。品質基準情報を受信している場合はステップＳ２０３の処理手順に進み、品質基準情報を受信していない場合はステップＳ２０４の処理手順に進む。
【００６６】
ステップＳ２０３で、ユーザ装置１の制御部１０５は、例えば、中継装置２から受信した品質基準情報と、ステップＳ２０１の処理手順で測定された受信品質とを掛け算した値に基づいて、アンテナピクト表示を行う。具体的な例として、例えば、制御部１０５は、中継装置２から受信した品質基準情報により表される受信電力と、ステップＳ２０１の処理手順で測定された受信電力とを掛け算することで基地局３からユーザ装置１までの無線区間全体が加味された受信電力を算出し、算出された受信電力の強度に基づいてアンテナピクト表示を行うようにしてもよい。
【００６７】
ステップＳ２０４で、ユーザ装置１の制御部１０５は、ステップＳ２０１の処理手順で測定された受信電力に基づいて、従来通りアンテナピクト表示を行う。
【００６８】
（処理手順（その２））
図１１は、第一の実施の形態に係る移動通信システムが行う処理手順（その２）の一例を示すシーケンス図である。図１１は、移動通信システム内に２台の中継装置２ａ及び中継装置２ｂが含まれている場合の処理手順の一例を示している。中継装置２ａは基地局３側に設置される中継装置であり、中継装置２ｂは、ユーザ装置１側に設置される中継装置である。すなわち、図１１の例では、基地局３から送信された無線信号が、中継装置２ａ、中継装置２ｂの順で転送されてユーザ装置１に届くことになる。
【００６９】
ステップＳ３０１及びＳ３０２の処理手順は、それぞれ図９のステップＳ１０１及びステップＳ１０２と同一であるため説明は省略する。
【００７０】
ステップＳ３０３で、中継装置２ａの品質基準情報通知部２０４は、ステップＳ３０２の処理手順で測定された受信品質に基づいて品質基準情報を生成する。品質基準情報通知部２０４は、例えば、ステップＳ３０２の処理手順で測定された受信品質（ＲＳＲＱ、ＲＳＲＰ、ＲＳＳＩ、ＣＱＩ等）の値をそのまま品質基準情報に格納してもよいし、受信品質の値を所定の粒度（例えば、所定の数字、アルファベット又は記号等）に変換して品質基準情報に格納してもよい。なお、受信品質の値を所定の粒度に変換して品質基準情報に格納する場合、中継装置２ａ及び中継装置２ｂの間で、変換方法を示す情報（変換テーブル）を予め共有しておく必要がある。この場合、中継装置２ａの品質基準情報通知部２０４は、変換方法を示す情報（変換テーブル）を、中継装置２ｂに報知情報、ＲＲＣ信号、所定のＤ２Ｄ信号（ＰＳＣＣＨ、ＰＳＳＣＨ、ＰＳＤＣＨ等）などで送信するようにしてもよい。
【００７１】
ステップＳ３０４で、中継装置２ｂの信号送信部２０２は、中継装置２ａに、中継装置２ｂ自身が品質基準情報を受信（処理）する能力（機能）を有することを通知する。なお、ステップＳ３０４の処理手順は、必ずしも図９に示されるタイミングで行われなくても良い。中継装置２ｂと中継装置２ａとが互いに通信可能になるタイミングで行われるようにしてもよい。例えば、所定のＤ２Ｄ信号（ＰＳＣＣＨ、ＰＳＳＣＨ、ＰＳＤＣＨ等）を用いて任意のタイミングで通知されるようにしてもよい。
【００７２】
ステップＳ３０５で、中継装置２ａの品質基準情報通知部２０４は、中継装置２ｂに品質基準情報を含む信号を送信する。当該信号は、例えば、報知情報であってもよいし、ＲＲＣ信号であってもよいし、所定のＤ２Ｄ信号であってもよい。当該ＲＲＣ信号は、例えば、ＲＲＣ  Ｃｏｎｎｅｃｔｉｏｎ  Ｒｅｃｏｎｆｉｇｕｒａｔｉｏｎ信号等であってもよい。また、所定のＤ２Ｄ信号は、ＰＳＣＣＨ、ＰＳＳＣＨ、ＰＳＤＣＨ等であってもよい。なお、ステップＳ３０５の処理手順は、ステップＳ３０４の処理手順において、中継装置２ｂが品質基準情報を受信する能力を有することが通知された場合にのみ行われるようにしてもよい。
【００７３】
ここで、無線信号の受信品質は、伝搬状況や干渉等の影響により変動するため、中継装置２ａの受信品質測定部２０３及び品質基準情報通知部２０４は、ステップＳ３０２乃至ステップＳ３０５の処理手順を所定の間隔又は所定の周期で繰り返し行うことで、最新の品質基準情報を中継装置２ｂに送信するようにしてもよい。
【００７４】
中継装置２ｂの信号受信部２０１は、中継装置２ａから受信した品質基準情報を品質基準情報通知部２０４に送信する。なお、ステップＳ３０５の処理手順において、報知情報を用いて品質基準情報が送信される場合、中継装置２ｂの信号受信部２０１は、定期的に報知情報を受信し、品質基準情報が更新されているかを確認するようにしてもよい。また、中継装置２ｂの信号受信部２０１は、中継装置２ａから、品質基準情報の更新タイミング又は更新周期に関する情報を予め受信しておくようにしてもよい。
【００７５】
ステップＳ３０６で、中継装置２ｂの受信品質測定部２０３は、中継装置２ａから送信される無線信号の受信品質（ＲＳＲＱ、ＲＳＲＰ、ＲＳＳＩ、ＣＱＩ等）を測定する。なお、受信品質を測定する無線信号は、ステップＳ３０５の処理手順で送信される無線信号に限られない。他の無線信号（ＣＲＳ等）を用いて受信品質を測定するようにしてもよい。
【００７６】
ステップＳ３０７で、中継装置２ｂの品質基準情報通知部２０４は、ステップＳ３０５の処理手順で受信した品質基準情報と、ステップＳ３０６の処理手順で測定された受信品質とに基づいて新たな品質基準情報（ユーザ装置１に送信する品質基準情報）を生成する。例えば、品質基準情報通知部２０４は、中継装置２ａから受信した品質基準情報により表される受信電力と、ステップＳ３０６の処理手順で測定された受信電力とを掛け算した値を、新たな品質基準情報に格納する受信品質にしてもよい。
【００７７】
また、品質基準情報通知部２０４は、ステップＳ３０６処理手順で測定された受信電力が所定の受信電力以上である場合（例えば、受信電力が非常に大きい場合など）、中継装置２ａから受信した品質基準情報を、そのまま新たな品質基準情報にしてもよい。
【００７８】
また、品質基準情報通知部２０４は、中継装置２ａと中継装置２ｂ自身との間のＲＡＴ（Radio Access Technology）又は周波数、ユーザ装置１と中継装置２ｂ自身との間のＲＡＴ又は周波数、中継装置２ｂ自身が備える増幅器の精度等によって重みづけを行うことで、新たな品質基準情報を生成するようにしてもよい。
【００７９】
また、品質基準情報通知部２０４は、生成した新たな品質基準情報の値を所定の粒度（例えば、所定の数字、アルファベット又は記号等）に変換して新たな品質基準情報に格納してもよい。この場合、中継装置２ｂ及びユーザ装置１との間で、変換方法を示す情報（変換テーブル）を予め共有しておく必要がある。この場合、中継装置２ｂの品質基準情報通知部２０４は、変換方法を示す情報（変換テーブル）を、ユーザ装置１に報知情報、ＲＲＣ信号、所定のＤ２Ｄ信号（ＰＳＣＣＨ、ＰＳＳＣＨ、ＰＳＤＣＨ等）などで送信するようにしてもよい。なお、中継装置２ｂ及びユーザ装置１との間で共有される変換テーブルは、ステップＳ３０３で説明した、中継装置２ａ及び中継装置２ｂとの間で共有される変換テーブルとは異なる変換テーブルであってもよい。
【００８０】
ステップＳ３０８乃至ステップＳ３１２の処理手順は、図９のステップＳ１０４乃至ステップＳ１０８の処理手順と同一であるため説明は省略する。
【００８１】
以上、第一の実施の形態によれば、ユーザ装置１は、基地局３とユーザ装置１自身との間における無線区間全体の受信品質に基づいてアンテナピクトを表示することが可能になる。また、これにより、ユーザ装置１の利用者は、より実態に近いスループットを推定することが可能になる。また、ユーザ装置１は、基地局３とユーザ装置１自身との間における無線区間全体の受信品質が変化した場合であっても、アンテナピクト表示を更新することが可能になる。
【００８２】
[第二の実施の形態]
次に、第二の実施の形態について図面に基づいて説明する。第二の実施の形態は、ユーザ装置１又は中継装置２が、所定の制御として、品質基準情報を用いて接続状態を管理する場合について説明する。なお、第二の実施の形態は、接続状態の管理に限られず、他の制御にも適用することができる。
【００８３】
なお、第一の実施の形態と同一構成部分についての説明は省略する。また、特に言及しない点については、第一の実施の形態と同様でよい。
【００８４】
なお、第一の実施の形態と第二の実施の形態とは組み合わせることが可能である。
【００８５】
＜機能構成＞
以下、第二の実施の形態の動作を実行するユーザ装置１と中継装置２と基地局３との機能構成例を説明する。
【００８６】
（ユーザ装置）
図１２は、第二の実施の形態に係るユーザ装置の機能構成の一例を示す図である。図１２に示すように、ユーザ装置１は、信号受信部３０１、信号送信部３０２、品質基準情報受信部３０３、受信品質測定部３０４、及び制御部３０５を有する。
【００８７】
信号受信部３０１、信号送信部３０２、品質基準情報受信部３０３、及び受信品質測定部３０４は、それぞれ図７の信号受信部１０１、信号送信部１０２、品質基準情報受信部１０３、及び受信品質測定部１０４と同一であるため説明は省略する。
【００８８】
制御部３０５は、中継装置２から受信した品質基準情報と、受信品質測定部３０４で測定された受信品質とに基づいて所定の制御を行う。所定の制御の一例は、例えば中継装置２との接続状態（ＲＲＣの接続状態等）の管理である。制御部３０５は、信号受信部３０１を介して、中継装置２から、通信相手と通信を行う際に必要とされる信号品質（無線信号の受信品質）の下限を示す情報（以下、「下限品質情報」という）を受信する。また、制御部３０５は、基地局３とユーザ装置１自身との間における無線区間全体の受信品質が、下限品質情報で示される信号品質の下限を下回るか否かを判断する。下限を下回ると判断される場合、制御部３０５は、中継装置２との間で確立されているコネクションを切断するようにする。
【００８９】
なお、制御部３０５は、下限品質情報をユーザ装置１自身のメモリ等に予め保持しておき、中継装置２に下限品質情報を送信する機能を有していてもよい。
【００９０】
（中継装置）
図１３は、第二の実施の形態に係る中継装置の機能構成の一例を示す図である。図１３に示すように、中継装置２は、信号受信部４０１、信号送信部４０２、受信品質測定部４０３、品質基準情報通知部４０４、下限品質情報通知部４０５、及び接続状態制御部４０６を有する。
【００９１】
信号受信部４０１、信号送信部４０２、受信品質測定部４０３、及び品質基準情報通知部４０４は、それぞれ図８の信号受信部２０１、信号送信部２０２、受信品質測定部２０３、及び品質基準情報通知部２０４と同一であるため説明は省略する。
【００９２】
下限品質情報通知部４０５は、ユーザ装置１又は他の中継装置２に下限品質情報を送信する。なお、下限品質情報は、予め中継装置２のメモリ等に記憶されていてもよいし、基地局３から信号受信部４０１を介して受信するようにしてもよい。
【００９３】
接続状態制御部４０６は、品質基準情報と、受信品質測定部４０３で測定された受信品質と下限品質情報とに基づいて、基地局３と中継装置２自身との間における無線区間全体の受信品質が、下限品質情報で示される信号品質の下限を下回るか否かを判断する。下限を下回ると判断される場合、接続状態制御部４０６は、ユーザ装置１又は他の中継装置２（次の中継装置２）との間で確立されているコネクションを切断するようにする。
【００９４】
（基地局）
図１４は、第二の実施の形態に係る基地局の機能構成の一例を示す図である。図１４に示すように、基地局３は、信号受信部５０１、信号送信部５０２、及び下限品質情報通知部５０３を有する。なお、図１４は、基地局３において本発明に特に関連する機能部のみを示すものであり、基地局３は、少なくともＬＴＥに準拠した動作を行うための図示しない機能も有するものである。
【００９５】
信号送信部５０２は、基地局３から送信されるべき上位のレイヤの情報から、物理レイヤの各種信号を生成し、送信する機能を含む。信号受信部５０１は、ユーザ装置１又は中継装置２から各種の上り信号を受信し、受信した物理レイヤの信号からより上位のレイヤの情報を取得する機能を含む。
【００９６】
下限品質情報通知部５０３は、中継装置２に下限品質情報を送信する。なお、下限品質情報は、予め基地局３のメモリ等に記憶されていてもよい。
【００９７】
＜処理手順＞
（処理手順（その１））
図１５は、第二の実施の形態に係る移動通信システムが行う処理手順（その１）の一例を示すシーケンス図である。図１５は、移動通信システム内に１〜３台の中継装置（２ａ、２ｂ、２ｃ）が含まれている場合の処理手順の一例を示している。なお、図１５において、左側に示す装置は基地局３であってもよいし、中継装置２（便宜上中継装置２ａと記載する）であってもよい。また、右側に示す装置は、中継装置２（便宜上中継装置２ｃと記載する）であってもよいし、ユーザ装置１であってもよい。また、中央に示す装置は中継装置２であるが、便宜上、中継装置２ｂと記載する。
【００９８】
ステップＳ４０１で、中継装置２ａの下限品質情報通知部４０５又は基地局３の下限品質情報通知部５０３は、下限品質情報を含む信号を中継装置２ｂに送信する。なお、ステップＳ４０１の処理を中継装置２ａが行う場合、中継装置２ａの品質基準情報通知部４０４は、当該信号に、下限品質情報に加えて品質基準情報を含めるようにしてよい。
【００９９】
なお、図１５において、中継装置２ｂのメモリに下限品質情報を保持させるようにして、基地局３の下限品質情報通知部５０３は、ステップＳ４０１の処理手順を省略するようにしてもよい。
【０１００】
同様に、図１５において、中継装置２ｂのメモリに下限品質情報を保持させるようにして、中継装置２ａの品質基準情報通知部４０４は、ステップＳ４０１で品質基準情報のみが含まれる信号を送信するようにしてもよい。
【０１０１】
ステップＳ４０２及びステップＳ４０３の処理手順は、図９のステップＳ１０２及びステップＳ１０３の処理手順、図１１のステップＳ３０２及びステップＳ３０３の処理手順又は、図１１のステップＳ３０６及びステップＳ３０７の処理手順と同一であるため説明は省略する。
【０１０２】
ステップＳ４０４で、ユーザ装置１の信号送信部１０２又は中継装置２ｃの信号送信部２０２は、中継装置２ｂに、ユーザ装置１自身又は中継装置２ｃ自身が品質基準情報及び下限品質情報を受信（処理）する能力（機能）を有することを通知する。なお、ステップＳ４０４の処理手順は、必ずしも図１５に示されるタイミングで行われなくても良い。中継装置２ｂとユーザ装置１（又は中継装置２ａ）とが互いに通信可能になるタイミングで行われるようにしてもよい。また、例えば、所定のＲＲＣ信号又は所定のＤ２Ｄ信号（ＰＳＣＣＨ、ＰＳＳＣＨ、ＰＳＤＣＨ等）を用いて任意のタイミングで通知されるようにしてもよい。
【０１０３】
ステップＳ４０５で、中継装置２ｂの品質基準情報通知部４０４及び下限品質情報通知部４０５は、信号送信部４０２を介して、品質基準情報及び下限品質情報を含む信号を送信する。当該信号は、例えば、報知情報であってもよいし、ＲＲＣ信号であってもよいし、所定のＤ２Ｄ信号であってもよい。当該ＲＲＣ信号は、例えば、ＲＲＣ  Ｃｏｎｎｅｃｔｉｏｎ  Ｒｅｃｏｎｆｉｇｕｒａｔｉｏｎ信号等であってもよい。また、所定のＤ２Ｄ信号は、ＰＳＣＣＨ、ＰＳＳＣＨ、ＰＳＤＣＨ等であってもよい。なお、ステップＳ４０５の処理手順は、ステップＳ４０４の処理手順において、ユーザ装置１又は中継装置２ｃから、品質基準情報及び下限品質情報を受信する能力を有することが通知された場合にのみ行われるようにしてもよい。
【０１０４】
ステップＳ４０６の処理手順は、図９のステップＳ１０６又は図１１のステップＳ３１０と同一であるため説明は省略する。
【０１０５】
ステップＳ４０７の処理手順は、図９のステップＳ１０７、図１１のステップＳ３０６又はステップＳ３１１と同一であるため説明は省略する。
【０１０６】
ステップＳ４０８で、ユーザ装置１の制御部３０５又は中継装置２ｃの接続状態制御部４０６は、ステップＳ４０５で受信した品質基準情報に示される受信品質が下限品質情報で示される信号品質（無線信号の受信品質）を下回る場合、ステップＳ４０７で測定された受信品質が下限品質情報で示される信号品質（無線信号の受信品質）を下回る場合、又は、ステップＳ４０５で受信した品質基準情報に示される受信品質及びステップＳ４０７で測定された受信品質の両方が下限品質情報で示される信号品質（無線信号の受信品質）を下回る場合に、ステップＳＳ４０９の処理手順に進む。
【０１０７】
ステップＳ４０９で、ユーザ装置１の制御部３０５又は中継装置２ｃの接続状態制御部４０６は、中継装置２ｂに切断信号を送信し、中継装置２ｂとの間のコネクションを切断する。
【０１０８】
（処理手順（その２））
図１６は、第二の実施の形態に係る移動通信システムが行う処理手順（その２）の一例を示すシーケンス図である。図１６は、図１５と同様に移動通信システム内に１〜３台の中継装置（２ａ、２ｂ、２ｃ）が含まれている場合の処理手順の一例を示している。なお、本処理手順（その２）は、処理手順（その１）と異なり、中継装置２ｂから中継装置２ｃ又はユーザ装置１に切断信号を送信するようにする。
【０１０９】
ステップＳ５０１乃至ステップＳ５０３の処理手順は、それぞれ図１５のステップＳ４０１乃至ステップＳ４０３と同一であるため説明は省略する。
【０１１０】
ステップＳ５０４で、中継装置２ｂの接続状態制御部４０６は、ステップＳ５０１で中継装置２ａから受信した信号に含まれる品質基準情報に示される受信品質が、下限品質情報で示される信号品質（無線信号の受信品質）を下回る場合、ステップＳ５０２で測定された受信品質が下限品質情報で示される信号品質（無線信号の受信品質）を下回る場合、又は、ステップＳ５０１で中継装置２ａから受信した品質基準情報に示される受信品質及びステップＳ５０２で測定された受信品質の両方が下限品質情報で示される信号品質（無線信号の受信品質）を下回る場合に、ステップＳ５０５の処理手順に進む。
【０１１１】
ステップＳ５０５で、中継装置２ｂの接続状態制御部４０６は、中継装置２ｃ（又はユーザ装置１）に切断信号を送信し、中継装置２ｂ（又はユーザ装置１）との間のコネクションを切断する。
【０１１２】
（処理手順（その２の変形例））
ステップＳ５０５で、中継装置２ｂの接続状態制御部４０６は、中継装置２ｃ（又はユーザ装置１）に、切断信号の代わりに無効値（Out Of Range）が設定された品質基準情報を送信するようにしてもよい。また、当該無効値が設定された品質基準情報を受信した中継装置２ｃの接続状態制御部４０６（又はユーザ装置１の制御部３０５）は、図１５のステップＳ４０９と同様の処理手順を用いて中継装置２ｂとの間のコネクションを切断するようにしてもよい。
【０１１３】
（処理手順（その３））
図１７は、第二の実施の形態に係る移動通信システムが行う処理手順（その３）の一例を示すシーケンス図である。図１７は、移動通信システム内に１台の中継装置２ａ又は２台の中継装置（２ａ、２ｂ）が含まれている場合の処理手順の一例を示している。なお、本処理手順（その３）では、中継装置２ａは、次の中継装置２（中継装置２ｂ）又はユーザ装置１から下限品質情報を受信するようにする。
【０１１４】
ステップＳ６０１及びステップＳ６０２は、それぞれ、図９のステップＳ１０２及びステップＳ１０３、図１１のステップＳ３０２及びステップＳ３０３、図１１のステップＳ３０６及びステップＳ３０７、図１５のステップＳ４０２及びステップＳ４０３、又は、図１６のステップＳ５０２及びステップＳ５０３と同一であるため説明は省略する。
【０１１５】
ステップＳ６０３で、ユーザ装置１の制御部３０５、又は、中継装置２ｂの下限品質情報通知部４０５は、中継装置２ａに下限品質情報通知信号を送信する。当該信号には、下限品質情報が含まれている。
【０１１６】
ステップＳ６０４及びステップＳ６０５は、それぞれ図１６のステップＳ５０４及びステップＳ５０５と同一であるため説明は省略する。
【０１１７】
なお、本処理手順（その３）において、中継装置２ａは、ステップＳ６０３で受信した下限品質情報に加えて、基地局３又は他の中継装置２（一つ前の中継装置２）からも下限品質情報を受信するようにしてもよい。この場合、中継装置２ａは、両方の下限品質情報に示される受信品質（無線信号の受信品質）のうち、受信品質の値が大きい下限品質情報を用いてステップＳ６０４の処理手順を行ってもよい。また、中継装置２ａは、受信品質の値が小さい下限品質情報を用いてステップＳ６０４の処理手順を行ってもよい。また、中継装置２ａは、各々の受信品質の平均を算出してステップＳ６０４の処理手順を行ってもよい。
【０１１８】
以上、第二の実施の形態によれば、ユーザ装置１は、基地局３とユーザ装置１自身との間における無線区間全体の受信品質が低下している場合、中継装置２との間の接続を切断することが可能になる。また、中継装置２は、基地局３と中継装置２自身との間における無線区間全体の受信品質が低下している場合、１つ前の中継装置２との間の接続を切断することが可能になる。これにより、ユーザ装置１の利用者は、無線区間全体でのスループットが低い場合に無駄に通信を試みる必要がなくなることが想定される。すなわち、第二の実施の形態により、ユーザの利便性を向上させることが可能になる。
【０１１９】
＜効果＞
以上、本実施の形態における移動通信システムによれば、基地局の信号を中継する中継装置と通信するユーザ装置であって、前記中継装置から送信される無線信号の受信品質を測定する測定手段と、前記中継装置から、前記基地局と前記中継装置との間の無線信号の受信品質を示す基準情報を受信する受信手段と、前記測定手段により測定された受信品質と前記基準情報とに基づいて所定の制御を行う制御手段と、を有するユーザ装置が提供される。この構成により、基地局からの無線信号が中継される場合において、ユーザ装置１が、ユーザ装置１と基地局３との間における全体の通信品質を適切に把握することを可能にする技術が提供される。
【０１２０】
また、前記制御手段は、前記中継装置から前記基準情報を受信していない場合、前記測定手段により測定された受信品質に基づいて前記所定の制御を行うようにしてもよい。この構成により、ユーザ装置１は、基準情報（品質基準情報）を中継装置２から受信していない場合であっても、従来通りの制御を行うことが可能になる。
【０１２１】
また、前記所定の制御は、アンテナピクト表示であり、前記受信手段は、前記中継装置から送信される前記基準情報が更新されたことを検出し、前記制御手段は、前記測定手段により測定された受信品質と更新された前記基準情報とに基づいてアンテナピクト表示を更新するようにしてもよい。この構成により、ユーザ装置１は、基地局３とユーザ装置１自身との間における無線区間全体の受信品質に基づいてアンテナピクトを表示することが可能になる。また、これにより、ユーザ装置１の利用者は、より実態に近いスループットを推定することが可能になる。また、この構成により、ユーザ装置１は、基地局３とユーザ装置１自身との間における無線区間全体の受信品質が変化した場合であっても、アンテナピクト表示を更新することが可能になる。
【０１２２】
また、前記中継装置に、当該ユーザ装置が前記基準情報を受信する能力を有することを通知する通知手段、を更に有するようにしてもよい。この構成により、中継装置２は、本実施の形態に係る機能を有しないユーザ装置１に不要な信号を送信してしまうことを回避することができる。
【０１２３】
また、前記制御手段は、前記中継装置から、通信に必要な信号品質の下限を示す下限品質情報を受信し、受信した前記下限品質情報と、前記測定手段により測定された受信品質又は前記基準情報と、に基づいて、前記中継装置に切断信号を送信するようにしてもよい。この構成により、ユーザ装置１は、基地局３とユーザ装置１自身との間における無線区間全体の受信品質が低下している場合、中継装置２との間の接続を切断することが可能になる。これにより、ユーザ装置１の利用者は、無線区間全体でのスループットが低い場合に無駄に通信を試みる必要がなくなるため、ユーザの利便性を向上させることが可能になる。
【０１２４】
また、本実施の形態における移動通信システムによれば、基地局の信号をユーザ装置に中継する中継装置であって、前記基地局又は当該中継装置とは異なる他の中継装置から送信される第一の無線信号の受信品質を測定する測定手段と、前記第一の無線信号の受信品質に基づいて第一の基準情報を生成し、生成した第一の基準情報を前記ユーザ装置に送信する送信手段と、を有する中継装置が提供される。この構成により、基地局からの無線信号が中継される場合において、ユーザ装置１に対して、ユーザ装置１と基地局３との間における全体の通信品質を適切に把握させることを可能にする技術が提供される。
【０１２５】
また、前記測定手段は、前記第一の無線信号の受信品質を所定の間隔で測定し、
前記送信手段は、所定の間隔で測定された前記第一の無線信号の受信品質に基づいて第一の基準情報を生成し、前記第一の基準情報が更新された場合、前記ユーザ装置にページングを送信するようにしてもよい。この構成により、中継装置２は、基準情報（品質基準情報）が更新されたことをユーザ装置１に通知することができる。
【０１２６】
また、前記他の中継装置から、前記基地局又は前記他の中継装置とは異なる中継装置と前記他の中継装置との間の第二の無線信号の受信品質に基づいて生成された第二の基準情報を受信する受信手段、を更に有し、前記送信手段は、前記第一の無線信号の受信品質と前記第二の基準情報とに基づいて前記第一の基準情報を生成するようにしてもよい。この構成により、基地局３からの無線信号が複数の中継装置を介して中継される場合であっても、ユーザ装置１に対して、ユーザ装置１と基地局３との間における全体の通信品質を適切に把握させることができる。
【０１２７】
また、前記第一の無線信号の受信品質又は前記第一の基準情報と、通信に必要な信号品質の下限を示す下限品質情報とに基づいて、前記ユーザ装置に切断信号を送信する制御手段、を更に有するようにしてもよい。この構成により、ユーザ装置１は、基地局３とユーザ装置１自身との間における無線区間全体の受信品質が低下している場合、中継装置２との間の接続を切断することが可能になる。これにより、ユーザ装置１の利用者は、無線区間全体でのスループットが低い場合に無駄に通信を試みる必要がなくなるため、ユーザの利便性を向上させることが可能になる。
【０１２８】
また、本実施の形態における移動通信システムによれば、基地局の信号をユーザ装置に中継する中継装置と、前記中継装置と通信するユーザ装置とを有する移動通信システムが実行する通信制御方法であって、前記中継装置が、前記基地局又は前記中継装置とは異なる他の中継装置から送信される第一の無線信号の受信品質を測定する測定ステップと、前記中継装置が、前記第一の無線信号の受信品質に基づいて基準情報を生成し、生成した基準情報を前記ユーザ装置に送信する送信ステップと、前記ユーザ装置が、前記中継装置から送信される第二の無線信号の受信品質を測定する測定ステップと、前記ユーザ装置が、前記中継装置から基準情報を受信する受信ステップと、前記ユーザ装置が、前記測定ステップにより測定された前記第二の無線信号の受信品質と前記基準情報とに基づいて所定の制御を行う制御ステップと、を有する、通信制御方法が提供される。この構成により、基地局からの無線信号が中継される場合において、基地局との間における全体の通信品質を適切に把握することを可能にする技術が提供される。
【０１２９】
＜実施形態の補足＞
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置１、中継装置２及び基地局３は機能的なブロック図を用いて説明されたが、そのような装置はハードウェアで、ソフトウェアで又はそれらの組み合わせで実現されてもよい。本発明の実施の形態に従ってユーザ装置１が有するプロセッサにより動作するソフトウェア、中継装置２が有するプロセッサにより動作するソフトウェア及び基地局３が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３０】
本発明は上記実施形態に限定されず、本発明の精神から逸脱することなく、様々な変形例、修正例、代替例、置換例等が本発明に包含される。
【０１３１】
なお、各実施の形態において、受信品質測定部１０４又は受信品質測定部３０４は測定手段の一例である。品質基準情報受信部１０３又は品質基準情報受信部３０３は受信手段の一例である。制御部１０５又は制御部３０５は制御手段の一例である。品質基準情報は基準情報の一例である。信号送信部１０２又は信号送信部３０２は、通知手段の一例である。また、受信品質測定部２０３又は受信品質測定部４０３は測定手段の一例である。品質基準情報通知部２０４又は品質基準情報通知部４０４は送信手段の一例である。信号受信部２０１又は信号受信部４０１は受信手段の一例である。接続状態制御部４０６は、制御手段の一例である。
【符号の説明】
【０１３２】
１  ユーザ装置
２  中継装置
３  基地局
１０１  信号受信部
１０２  信号送信部
１０３  品質基準情報受信部
１０４  受信品質測定部
１０５  制御部
２０１  信号受信部
２０２  信号送信部
２０３  受信品質測定部
２０４  品質基準情報通知部
３０１  信号受信部
３０２  信号送信部
３０３  品質基準情報受信部
３０４  受信品質測定部
３０５  制御部
４０１  信号受信部
４０２  信号送信部
４０３  受信品質測定部
４０４  品質基準情報通知部
４０５  下限品質情報通知部
４０６  接続状態制御部
５０１  信号受信部
５０２  信号送信部
５０３  下限品質情報通知部
【図１】
2016213529.tif 000003
【図２】
2016213529.tif 000004
【図３】
2016213529.tif 000005
【図４】
2016213529.tif 000006
【図５】
2016213529.tif 000007
【図６】
2016213529.tif 000008
【図７】
2016213529.tif 000009
【図８】
2016213529.tif 000010
【図９】
2016213529.tif 000011
【図１０】
2016213529.tif 000012
【図１１】
2016213529.tif 000013
【図１２】
2016213529.tif 000014
【図１３】
2016213529.tif 000015
【図１４】
2016213529.tif 000016
【図１５】
2016213529.tif 000017
【図１６】
2016213529.tif 000018
【図１７】
2016213529.tif 000019